(57)【要約】　　　（修正有）【課題】断熱構造部分を構成する壁の凹凸に柔軟に対応して高い断熱性能を実現する一方、沈降による経時劣化が発生した場合にも速やかに改善または補修が可能な断熱構造を提供する。【解決手段】工作物の適宜部位に設けた空隙に、略球形を呈する軽量樹脂１４を充填する。工作物は動産不動産を問わないが、家屋に適用することが好ましい。家屋に適用する場合は、外壁部分の断熱構造が主となる。居室と外気との温度差を少なくする構造が求められるからである。略球形を呈する軽量樹脂１４は、平均粒径を１０〜３０ｍｍとする。略球形を呈する軽量樹脂１４は、重量を５ｇ以下とすることが望ましい。エア圧送による容易な充填操作を可能とするためである。【選択図】　　図１
2004100396.tif 000002
【特許請求の範囲】
【請求項１】
工作物の適宜部位に設けた空隙に、略球形を呈する軽量樹脂を充填することを特徴とする工作物の断熱構造。
【請求項２】
工作物は、家屋であることを特徴とする請求項１記載の工作物の断熱構造。
【請求項３】
工作物の適宜部位に設ける空隙は、家屋の外壁部分であることを特徴とする請求項２記載の工作物の断熱構造。
【請求項４】
略球形を呈する軽量樹脂は、平均粒径を１０〜３０ｍｍとし、その重量を５ｇ以下とすることを特徴とする請求項１乃至請求項３記載の工作物の断熱構造。
【発明の詳細な説明】
【０００１】
【発明の属する技術分野】
本発明は、不動産家屋等の各種の工作物の断熱構造に係り、とくに、断熱用に設ける空隙部分の凹凸にかかわらず自由な断熱構造を実現するための技術に関する。
【０００２】
【従来の技術】
断熱構造は、工作物の大きさや種類、使用目的、製品コストなどに応じてさまざまな手段が用いられる。例えば、魔法瓶では二重構造とした断熱用空隙を略真空とすることにより断熱性を保証する。また自動車のルーフの断熱、家屋の壁の断熱には、断熱効率に優れる空気を利用するべく、例えば加圧した段ボールパネルや発泡スチロールパネル、ウレタンパネル等、空隙性の高い成型パネルを用いることが多い。
【０００３】
大量の断熱材を要する工作物は、人間が居住するために設計される家屋、とくに土地に固定する不動産建築物である（以下、単に家屋；土地に固定しない動産家屋も含む）。家屋は、一戸建て住宅、マンション住宅、オフィスビル等の種類を問わず、室内の冷暖房効率を高く保証するために、特に外壁部分に各種の断熱構造をとる。
【０００４】
つまり、各種工作物の断熱は、いわゆる真空断熱や空気断熱といった純粋な空間遮断構造を除外すれば、従来、断熱用空隙に何らかの物理的断熱材を配することによって実現している。
【０００５】
【発明が解決しようとする課題】
ところで、所定空隙に何らかの断熱材を装着させる従来の断熱構造は、当該空隙の形状に断熱材それ自身を柔軟に対応させることが難しい場合が少なくないという問題があった。
【０００６】
自動車のルーフのように、やや湾曲した空隙に断熱材を配する場合は、当該形状に応じた形に断熱パネルをプレス成形すれば良い。しかしプレス用の型枠成形など車種ごとに設備コストを要する。
【０００７】
また、家屋の外壁部分（壁の画成部）をコンクリートブロックによって積み上げ成形する場合、積み上げるブロックの外壁（または内壁）の面には微小な凹凸が発生する。従って、このような微小凹凸をもつ面に成型品である既存の断熱パネルを装着しても、ブロックの外壁面の凹凸や歪みよって、当該断熱パネル材は所期の断熱効果を発揮することが出来ない。
【０００８】
このような家屋の外壁断熱において、軽量の樹脂断熱材を装填する工法はあるが、それらは例えば繊維質の軽量樹脂材であり、新築時にもリフォーム時にも、比較的早い段階で沈降による経時劣化を示すことが広く知られている。そして、従来の軽量断熱繊維材は沈降劣化が認められた後には補修や改善が著しく困難になるという問題がある。
【０００９】
そこで本発明の目的は、断熱構造部分を構成する壁の凹凸に柔軟に対応して高い断熱性能を実現する一方、沈降による経時劣化が発生した場合にも速やかに改善または補修が可能な断熱構造を提供する点にある。
【００１０】
【課題を解決するための手段】
前記目的を達成するため、本発明に係る断熱構造は、工作物の適宜部位に設けた空隙に、略球形を呈する軽量樹脂を充填する（請求項１）。工作物の種類は動産不動産などその種類を限定されない。自動車、船舶、航空機等の躯体壁面に適用できるからである。また必ずしも外壁や表面部分に適用する場合に限らない。例えば工作物内部の特定部位の外周部に適用しても良いからである。不動産構造物の場合は、住宅の外壁に適用することが多いと考えられるがそれ限らず、例えばプールの画成壁や、液体や気体の格納施設の外周壁の構造にも使用することができる。
【００１１】
請求項２は、目的とする工作物を、家屋とする場合である。この場合の家屋は、土地に定着しているか否かを問わない。動産か不動産かは断熱構造の性能または機能性に関係がないからである。工事現場等で使用するいわゆる簡易ハウスであっても良い。
【００１２】
家屋に適用する場合は、外壁部分の断熱構造が主となる（請求項３）。居室と外気との温度差を少なくする構造が求められるからである。略球形を呈する軽量樹脂は、平均粒径を１０〜３０ｍｍとする。断熱用の空隙を効率よく充填するためには、この程度の大きさが必要であり、粒径がこれ以上大きいと重量が増加するため新築充填時やメンテナンス補修時における操作性が悪くなるからである。また粒径が小さすぎると、断熱媒体として高い性能をもつ空気量が減少する場合があり、取り扱いも煩雑となる可能性があるため、あまり好ましくない。
【００１３】
とくに略球形を呈する軽量樹脂が、例えばピンポン玉のように内部に大量の空気を持っている場合はともかく、内部に大量の空気をもたない微少空隙性の樹脂成型品である場合は、１０ｍｍ以下の径寸に設定することはあまり好ましいことではない。断熱性が落ちるからである。
【００１４】
略球形を呈する軽量樹脂は、重量を５ｇ以下とすることが望ましい。エア圧送による容易な充填操作を可能とするためである。また複雑な形状をもった断熱空隙内のすみずみまで略球形を呈する軽量樹脂を送り込むには、当該軽量樹脂材は角がない略球形の表面輪郭をもつことが必要であり、直方体などいわゆるゴツゴツした表面形状のものは適さない。
【００１５】
本明細書において略球形とは、エアによって断熱空隙の隅々まで断熱用の軽量樹脂を圧送できる程度に角がないという意味であり、完全な球形であることや角がまったくないことまで意味するものではない。エア圧送（エア充填）を考慮すれば、軽量樹脂の重量は軽いほど好ましい。成形する樹脂の種類は問わない。硬質、軟質の種類も問わない。硬質系樹脂であっても、ピンポン玉構造のように内部が中空で軽量であり、エア圧送が利き断熱性に優れる材料も想定できるからである。
【００１６】
【発明の実施の形態】
本発明に係る略球形の軽量樹脂は、断熱層として機能させるための空間を構成する壁面に大きな凹凸があっても、柔軟に凹凸を埋め尽くして完全な断熱層を形成する点に特徴がある。工作物全般に適用できるが、内部に人間が居住するための建物、とりわけ不動産住宅に適用する場合を以下に例示する。
【００１７】
図１は、コンクリートブロック１１を用いた住宅の外壁断熱構造を例示するものである。コンクリートブロック１１を用いた住宅の外壁は、コンクリートブロック１１の積み上げによって壁面に凹凸が出来やすいために、完璧な断熱構造を実現することが困難とされていた。
【００１８】
この実施形態に係る住宅は、コンクリートブロック１１を積み上げて躯体の外壁部分を形成するとともに、完全な断熱層を形成するために、コンクリートブロック１１から一定寸法のクリアランスをもって木毛板（断熱型枠材）１２を配し、コンクリートブロック１１と木毛板１２とが作る隙間空間内に略球形の軽量樹脂１４を配してなる。
【００１９】
かかる構造においては、例えば図２に拡大して示すように、木毛板１２の外側に一定のクリアランスをもって外壁仕上材１５を配し、木毛板１２と外壁仕上材１５とが形成する隙間１７を通気層として利用することが望ましい。このような通気層（１７）の構造は従来公知である。尚、住宅内居室の換気は別途設けた換気フード等により行う場合もあるから、このような通気層（１７）は必ずしも必要ではないケースもあり得る。
【００２０】
１８は、木毛板１２を支持するためのブラケットである。このブラケット１８は、木毛板１２の大きさや重量に応じて、上下左右の適宜箇所に配する。尚、このブラケット１８は、木毛板１２を支持する箇所に設けるものであり、コンクリートブロック１１と木毛板１２とが作る隙間空間を上下または左右に遮断するものではないから、当該隙間空間に充填した略球形の軽量樹脂１４の流動は妨げられない。
【００２１】
尚、本実施形態では小屋根２１と居室２２とを画成する天井構造材２３の上にも略球形の軽量樹脂１４を充填し、小屋根２１と居室２２との断熱性を高めた。天井構造材２３は、例えばコンクリート打ちの構造、またはコンクリートパネル、木板、発泡樹脂等を用いた断熱パネルなどの敷設等、各種の構造形態をとることができる。略球形の軽量樹脂１４を充填するため、天井構造材２３の上に一定のクリアランスをもって隙間形成材２４を配しておく。この隙間形成材２４は剛性材である必要はない。荷重がかからないからである。軽量樹脂１４の拡散を確実に防止できるもの、例えば肉薄のビニルシートであっても良い。耐水性のある素材を用いることが望ましい。また一階居室と二階居室との間の上下の仕切部分にも略球形の軽量樹脂（１４）を充填して良いことは勿論である。
【００２２】
略球形の軽量樹脂１４は、エア圧送が可能な重量、最大でも５ｇ、好ましくは１ｇ以下のものを使用する。粒径があまり細かいと取り扱いが不便になるので、粒径は１０〜１５ｍｍ平均のものを使用することが望ましい。
【００２３】
このような略球形の軽量樹脂１４は、例えば発泡スチロールを利用して容易に成形することが出来る。産業廃棄物として廃棄処分される発泡スチロール性の各種のトレー（皿）その他を熔解して再利用しても構わない。原材料の汚損程度や色、或いは再利用による品質低下は、本発明に係る軽量樹脂１４の断熱性能とはまったく関係がなく最終目的を阻害しないからである。
【００２４】
軽量樹脂１４は、外壁を作る際に適宜箇所からエア圧送して充填することが出来る。例えば、最上段のブラケット１８の近傍（屋根の近く）から下方に向かって圧送する等である。木毛板１２の中段や下段部分に注入孔を設けて、圧送注入しても良い。軽量樹脂１４は軽量であるから上下いずれの方向にも移動するし、略球形であるから流動性が高い。従って、コンクリートブロック１１が作る表面凹凸にも柔軟に対応して隙間を埋めることが出来る。尚、小屋根部分や一階と二階の上下仕切に軽量樹脂１４を充填する際もエア圧送により適宜の部位から充填作業を行うことが出来る。
【００２５】
従って、かかる断熱構造によれば、コンクリートブロック１１が作る表面凹凸にも柔軟に対応して自在に断熱層（１７）を形成することが出来る。エア圧送による作業で済むため作業性は高く、小屋根部分や一階と二階の上下仕切に断熱層を形成する作業も非常に簡単である。
【００２６】
樹脂製の断熱材は、経年使用による沈降が大きな問題となる。本発明に係る軽量樹脂１４も流動性があるため沈降することが予想されるが、その際にも他の断熱構造と異なり新規断熱材（軽量樹脂１４）の充填作業が非常に簡単である。どの部位からでも新規素材をエア圧送できるからである。小屋根部分や一階と二階の上下仕切に断熱層を形成する場合は沈降による問題は生じないが、必要があればエア圧送により簡単に新規断熱材（軽量樹脂１４）を補充することが出来る。
【００２７】
断熱性も高い。略粒径の軽量樹脂１４は、素材そのものが高い断熱性を示すだけでなく、相互の隙間、つまり大量の空気層が理想的な断熱性能を実現するからである。
【００２８】
また、かかる断熱構造は、バキューム吸引によって略粒径の軽量樹脂１４を簡単に取り除くことが出来る。これは、解体時の産業廃棄物処理の作業性を著しく高める。また、素材技術の革新によって他の新たな断熱材が開発されたときにもリフォームの作業性を確実に容易とする。
【００２９】
本発明に係る断熱構造は、このような不動産住宅の外壁構造に限らず、移動可能な簡易ハウスの如き住居、或いは穀物野菜の貯蔵倉庫のような建築物や断熱性が求められる各種の建築物の外壁や小屋根部分にも適用可能である。また前記実施形態で示した断熱構造は、躯体の壁の外部に断熱材（軽量樹脂１４）を配する構造、いわゆる外断熱構造であったが、これに限らず躯体の壁の内側に軽量樹脂１４を配する内断熱構造としても良い。また壁の構造はコンクリートブロック１１を用いる構造に限らず、どのような構造であっても構わない。
【００３０】
また、すでに述べたように産業廃棄物として廃棄処分される発泡スチロール性の各種のトレー（皿）その他を熔解して再利用するときには、産業廃棄物の有効再利用を図ることが出来る点で時代の要請に即する。
【００３１】
【発明の効果】
以上説明したように、本発明に係る工作物の断熱構造によれば、断熱構造部分を構成する壁の凹凸に柔軟に対応して高い断熱性能を実現することができ、沈降による経時劣化が発生した場合にも速やかな改善補修が可能となる。
【図面の簡単な説明】
【図１】本発明に係る断熱構造を住宅外壁に適用する場合を例示する図である。
【図２】図１に示す外壁構造を拡大して示す部分拡大図である。
【符号の説明】
１１　コンクリートブロック
１２　木毛板（断熱型枠材）
１４　軽量樹脂
１５　外壁仕上材
１７　隙間（通気層）
１８　ブラケット
２１　小屋根
２２　居室
２３　天井構造材
２４　隙間形成材
【図１】
2004100396.tif 000003
【図２】
2004100396.tif 000004